(57)【特許請求の範囲】
【請求項１】
一対の側辺及び前記一対の側辺を繋ぐ底部に沿って互いにしっかりと接合されている、第一本体パネル及びこれと向かい合う第二本体パネルと、
互いに噛み合うことができるようになっているリブ形状部と溝形状部とを含んでおり、前記底部の反対側に形成される口部に沿って伸張する再閉可能なジッパーと、
前記ジッパーに、閉位置と開位置との間で移動できるように滑動可能に装着されているスライダであって、前記スライダが前記閉位置にある場合には前記リブ形状部と前記溝形状部とが互いに噛み合っており、前記スライダが前記開位置に向かって移動するにつれ前記リブ形状部と前記溝形状部とが漸進的に係合解除されていくようなスライダと、
前記リブ形状部及び前記溝形状部の下方に配置された弱体線部において前記第一本体パネルと第二本体パネルの少なくとも一方に脱着可能に結合された取り外し自在の可撓性部材であって、該可撓性部材が前記ジッパー上に、該ジッパーの全長の一部に沿ってのみ伸張し且つ前記スライダよりも上方に伸長し、前記弱体線部に沿って前記向かい合う両本体パネルの少なくとも一方から取り外して袋の内部にアクセスし得るようにするための前記可撓性部材と、
を備えていることを特徴とするスライダ付き袋。
【請求項２】
袋の内部の内容物にアクセスする方法であって、前記袋が第一本体パネル及びこれに向かい合う第二本体パネルとこれら向かい合う両本体パネルによって形成された袋の口部に沿って伸張する再閉可能なジッパーとを含み、前記ジッパーは、該ジッパーが噛み合わされた閉位置と解除された開位置との間を動くように滑動自在に取り付けられたスライダを備え、前記ジッパーがリブ形状部と溝形状部とを含んでおり、
前記向かい合う両本体パネル内の、前記両リブ形状部及び溝形状部の下方にある弱体線部に沿って、前記向かい合った両本体パネルから上向きに伸張し且つ前記ジッパーの全長の一部に沿ってのみ伸長する可撓性部材を切り破り前記袋の内容物にアクセス可能にする段階と、
前記スライダを前記閉位置から前記開位置に動かして前記袋の内容物を取り出せるようにする段階と、
を特徴とする前記方法。
【請求項３】
再閉可能なスライダ付き袋を使用する方法であって、前記袋が内部を画成する第一本体パネル及びこれに向かい合う第二本体パネルと、前記向かい合う両本体パネルによって形成される袋の口部に沿って伸張する再閉可能なジッパーと、前記向かい合う両本体パネルの少なくとも一方に取り外し可能に取り付けられ且つ前記ジッパーの全長の一部に沿ってのみ伸長する、前記ジッパーを少なくとも部分的に封止する可撓性部材とからなり、前記ジッパーは、該ジッパーが噛み合わされた閉位置と解除された開位置との間を動くように滑動自在に取り付けられたスライダを備え、前記ジッパーにより前記袋の内部にアクセスし得るようにしてなり、
前記ジッパーの下方に配置された弱体線部に沿って前記向かい合う両本体パネルの前記少なくとも一方から前記封止する可撓性部材を取り除く段階と、
前記スライダを第一の方向に動かして前記ジッパーを解除して前記袋の内部にアクセスし得るようにする段階と、
を特徴とする前記方法。
【請求項４】
一対の側辺及び前記一対の側辺を繋ぐ底部に沿って互いにしっかりと接合されている、第一本体パネル及びこれと向かい合う第二本体パネルと、
互いに噛み合うことができるようになっているリブ形状部と溝形状部とを含んでおり、前記底部の反対側に形成される口部に沿って伸張する再閉可能なジッパーと、
前記ジッパーに、閉位置と開位置との間で移動できるように滑動可能に装着されているスライダであって、前記スライダが前記閉位置にある場合には前記リブ形状部と前記溝形状部とが互いに噛み合っており、前記スライダが前記開位置に向かって移動するにつれ前記リブ形状部と前記溝形状部とが順次係合解除されていくようなスライダと、
前記向かい合う両本体パネルに一体的に形成され、前記リブ形状部及び前記溝形状部の下方に配置された弱体線部で前記向かい合う両本体パネルに接合された可撓性部材であって、前記ジッパー上に該ジッパーの全長の一部に沿ってのみ伸張するとともに前記スライダ上方に突出しており、前記向かい合う両本体パネルから取り外して前記スライダが前記開位置と前記閉位置との間を動き得るようにするための前記可撓性部材と、
を特徴とする再閉可能な袋。
【請求項５】
一対の側辺及び前記一対の側辺を繋ぐ底部に沿って互いにしっかりと接合されている、第一本体パネル及びこれと向かい合う第二本体パネルであって、各本体パネルがそれぞれ対向する本体パネルに一体的に形成された上向きに伸張する可撓性部材を含み、各々の前記上向きに伸張する可撓性部材が弱体線部に沿って前記各々の対向する本体パネルに接合され最上方部分が互いにしっかりと接合された前記可撓性部材を含む前記両本体パネルと、
互いに噛み合うことができるようになっているリブ形状部と溝形状部とを含んでおり、前記底部の反対側に形成される口部に沿って伸長する再封可能なジッパーであって、前記可撓性部材が前記ジッパーの全長の一部に沿ってのみ伸長しており、前記リブ形状部及び溝形状部が前記弱体線部の上部でかつ前記上向きに伸張した可撓性部材の前記最上方部分の下方に配置されている再封可能なジッパーと、
前記ジッパーに、閉位置との開位置との間で移動できるように滑動可能に装着されているスライダであって、前記スライダが前記閉位置にある場合には前記リブ形状部と前記溝形状部とが互いに噛み合っており、前記スライダが前記開位置に向かって移動するにつれ前記リブ形状部と前記溝形状部とが漸進的に係合解除されていくスライダの前記開位置と閉位置との間の動きを前記上向きに伸張した可撓性部材を前記向かい合う両本体パネルから取り除くことにより可能にするようにした前記スライダと、
を備えていることを特徴とする再閉可能な袋。
【請求項６】
一対の側辺及び前記一対の側辺を繋ぐ底部に沿って互いにしっかりと接合されている、第一本体パネル及びこれと向かい合う第二本体パネルと、
互いに噛み合うことができるようになっているリブ形状部と溝形状部とを含んでおり、前記底部の反対側に形成される口部に沿って伸張する再閉可能なジッパーと、
前記ジッパーに、閉位置と開位置との間で移動できるように滑動可能に装着されているスライダであって、前記スライダが前記閉位置にある場合には前記リブ形状部と前記溝形状部とが互いに噛み合っており、前記スライダが前記開位置に向かって移動するにつれ前記リブ形状部と前記溝形状部とが漸進的に係合解除されていくようなスライダと、
互いに向かい合った前記本体パネルの少なくとも一方に設けられ、前記少なくとも一方の本体パネルを上向きに伸張し且つ前記ジッパーの全長の一部に沿ってのみ伸長する可撓性部材に結合していて前記リブ形状部及び前記溝形状部の下方にある弱体線部であって、該弱体線部に沿って前記本体パネルから前記可撓性部材が除去可能でありこれによって前記スライダの前記開位置と閉位置との間を動き得るようにした前記弱体線部と、
を備えていることを特徴とする再閉可能な袋。
【請求項７】
袋内の内容物にアクセスする方法であって、前記袋が第一本体パネル及びこれに向かい合う第二本体パネル、これら両本体パネルにより形成される袋の口部に沿って伸張する再閉可能なリブ形状部及び溝形状部を備えるジッパーを含み、前記ジッパーに、該ジッパーが噛み合っている閉位置と前記ジッパーが解除されている開位置との間で移動できるように滑動可能に装着されているスライダを有し、前記方法が、
前記向かい合う両本体パネルの前記リブ形状部と前記溝形状部の下方にある弱体線部に沿って前記向かい合う両本体パネルから上向きに伸張し且つ前記ジッパーの全長の一部に沿ってのみ伸長する可撓性部材を切り裂いて、前記開位置と前記閉位置との間で前記スライダを移動可能にする段階と、
前記スライダを前記閉位置から前記開位置に移動させて前記袋の内容物にアクセス可能にする段階と、
を特徴とする前記方法。
【請求項８】
一対の側辺及び前記一対の側辺を繋ぐ底部に沿って互いにしっかりと接合されている、第一本体パネル及びこれと向かい合う第二本体パネルと、
互いに噛み合うことができるようになっているリブ形状部と溝形状部とを含んでおり、前記底部の反対側に形成される口部に沿って伸張する再閉可能なジッパーと、
前記ジッパーに、閉位置との開位置との間で移動できるように滑動可能に装着されているスライダであって、前記スライダが前記閉位置にある場合には前記リブ形状部と前記溝形状部とが互いに噛み合っており、前記スライダが前記開位置に向かって移動するにつれ前記リブ形状部と前記溝形状部とが漸進的に係合解除されていくようなスライダと、
前記向かい合う両本体パネルの少なくとも一方に脱着可能に接合されていて、前記ジッパーの上方に伸張し且つ該ジッパーの全長の一部に沿ってのみ伸長し、該ジッパーの全長の一部を少なくとも部分的に封止するようにされた取り外し可能な可撓性部材であり、前記スライダがアクセス可能であるように、前記閉位置にある前記スライダに隣接しており、該スライダに前記可撓性部材の端面が当接してスライダの前記閉位置から前記開位置への移動を阻止するようになされており、前記向かい合った両本体パネルの前記少なくとも一方につき前記ジッパーの下方にある弱体線に沿って前記取り外し可能な可撓性部材が前記向かい合う両本体パネルの前記少なくとも一方から取り除かれるとこれに応じて前記スライダを前記閉位置から開位置に移動可能にする前記取り外し可能な可撓性部材と、
を備えていることを特徴とする再閉可能なスライダ付き袋。
【請求項９】
再閉可能なスライダ付き袋の使用方法であって、前記袋が内部を画成する第一本体パネル及びこれに向かい合う第二本体パネルと、前記向かい合う両本体パネルにより形成され袋の口部に沿って伸張する再閉可能なジッパーと、前記向かい合う両本体パネルの少なくとも一方に脱着自在に取り付けられるとともに前記ジッパーの全長の一部に沿ってのみ伸長し前記ジッパーを部分的に封止してなる可撓性部材とによって構成され、前記ジッパーが噛み合わせされる閉位置と前記ジッパーが解除される開位置との間を移動するように前記ジッパーに滑動可能に装着されたスライダを備え、該スライダが前記閉位置をとる時、前記可撓性部材を取り除く前に該スライダがアクセス可能なように、前記可撓性部材が前記スライダに近接し前記ジッパーに前記袋の内部へのアクセスの実現をせしめるようにしてなり、
前記使用方法が、
前記ジッパーの下方に配置された弱体線部に沿って前記向かい合った両本体パネルの前記少なくとも一方から前記可撓性部材を取り除く段階と、
前記スライダを第一の方向に動かして前記ジッパーの噛み合いを解除して前記袋の内部へのアクセスを実現せしめる段階と、
を特徴とする前記使用方法。
【請求項１０】
タンパエビデント式スライダ付き袋であって、
一対の側辺及び前記一対の側辺を繋ぐ底部に沿って互いにしっかりと接合されている、第一本体パネル及びこれと向かい合う第二本体パネルと、
前記底部の反対側に形成された口部に沿って伸張している再閉可能なジッパーと、
閉位置と開位置との間を移動するように前記ジッパーに滑動可能に装着されたスライダであって、前記ジッパーは該スライダが閉位置にある時閉止され該スライダの移動に応答して開位置に向かって開放されるようにした前記スライダと、
前記ジッパー上に該ジッパーの全長の一部に沿ってのみ当初伸張されていて前記向かい合う両本体パネルに結合された除去可能な可撓性部材であって、前記袋の内部へのアクセスを当初妨げるように配置されており、前記ジッパー下方の弱体線部に沿って該可撓性部材が前記袋から取り除かれるのに応答して前記スライダを閉位置から開位置に移動することができるようにして前記ジッパーを開かせ前記袋の内容物にアクセスできるようにする前記可撓性部材と、
からなることを特徴とするタンパエビデント式スライダ付き袋。
【請求項１１】
袋の内容物にアクセスする方法であって、前記袋は第一本体パネルとこれに向かい合う第二本体パネル及び前記向かい合う両本体パネルによって形成される袋の口部に沿って伸張する再閉可能なジッパーを備えており、前記ジッパーがリブ形状部と溝形状部を含み、該ジッパーが噛み合っている閉位置と該ジッパーが解除されている開位置との間を移動するように滑動可能に装着されているスライダを有し、前記ジッパーの下部に配置された弱体線部を介して、前記ジッパーの全長の一部に沿ってのみ伸長する可撓性タンパエビデント部材を破断及び／又は取り除く以前は前記袋の内部へのアクセスを困難ならしめる段階と、
前記ジッパー上の前記スライダを開位置に移動させて前記可撓性タンパエビデント部材の破断及び／又は取り除いた後前記袋の内容物へのアクセスを可能にする段階と、
を特徴とする前記方法。
【請求項１２】
前記弱体線部がミシン目、肉薄領域又は痕目であることを特徴とする請求項１から１１のいずれか一項に記載の袋。
【請求項１３】
前記部材が前記弱体線部に沿って前記向かい合う両本体パネルに脱着可能に接合されていることを特徴とする請求項１から４、６から１１のいずれか一項に記載の袋。
【発明の詳細な説明】
【０００１】
（発明の属する技術分野）
本発明は、一般的には再閉可能なプラスチック袋、より厳密には、タンパエビデント構造（開封の痕跡を残す構造）を有する再閉可能なプラスチック袋に関する。ある実施例では、プラスチック袋にはスライダ付きのジッパーが取り付けられていて、ジッパーはスライダを用いて開閉できるようになっており、更に、最初はタンパエビデント構造がスライダをジッパー上で閉位置に保持しており、タンパエビデント構造を除去又は破断するとスライダはジッパー上を閉位置から開位置へ移動することができるようになっている。別の実施例では、最初はタンパエビデント構造がプラスチック袋の口部を折り重ね状態に保持しており、タンパエビデント構造を除去又は破断すると口部が広げられるようになっている。
【０００２】
（発明の背景）
米国特許第５，０６７，２０８号に開示されている形式の再閉可能なプラスチック袋は、ジッパーに装着されているスライダの移動により開閉されるジッパーを含んでいる。スライダの操作が簡単であるおかげで、スライダ付き袋はここ数年好評を得てきている。これまで、スライダ付き袋の主な市場は、空のスライダ付き袋である包装袋を購入し、そのスライダ付き袋に家でいろいろな製品を詰め込む消費者であった。しかし、スライダ付き袋の人気が高まってくるにつれ、製品製造者は、消費者への販売用に食品や非食料品をスライダ付き袋で包装することに関心を抱きはじめてきた。スライダ付き袋は、特に、いつでも一度に少ししか使用しないような製品であるのに、製品が一杯に詰められた袋を購入する消費者には非常に便利である。スライダ付き袋が役に立つ製品は、殆ど無限にある。消費者は最初にスライダ付き袋を開けて、製品の一部を使用し、それからスライダ付き袋を容易に再閉する。スライダ付き袋は、簡単に使えるおかげで、一回限りの開放が可能で開放及び再閉がより困難な一般的な袋より特に好まれている。一回限りの開放が可能な袋を開ける際には、例えば、消費者は袋を破いて開け、容易に開けるためにハサミ等の道具を必要とし、再閉する際には、通常は袋の上部を巻いて閉じ、袋を閉じ状態に維持するためにクリップ、ひも、テープのような別の締め機構を必要とする。
【０００３】
スライダ付きプラスチック袋に関する問題は、そのような袋に食品又は非食品を詰めて予包装すると、プラスチック袋の中身が、消費者に購入される前に容易にいじくられる（以後「不当干渉」と表現する）恐れがあるということである。これらの不当干渉を防ぐために、スライダ付き袋には、米国特許第５，６６９，７１５号、第５，７１３，６６９号、第５，７７５，８１２に開示されている形式のタンパエビデント構造が装備されてきた。このようなタンパエビデント構造は、袋を開けると不当干渉の証拠を提供することはできるが、上記特許の譲受人のような袋製造者は、袋の機能性を高めるために新しい袋構造を開発する努力を続けている。
【０００４】
（発明の概要）
本発明はこの目的で、一対の側辺とその一対の側辺を互いに繋ぐ底部とによって互いにしっかり接合されている、第一本体パネルと、これと向かい合う第二本体パネルとを備えたプラスチック袋を提供する。袋には、プラスチック袋の密封された底部の反対側に形成される口部に沿って伸張する再閉可能なジッパーが設けられている。ジッパーは、スライダを収容し、スライダを使わないジッパーの操作を防ぐため、掴むことのできる上部引っ張りフランジが無いのが望ましい。スライダは、閉位置と開位置との間で移動できるようにジッパーに滑動可能に装着される。スライダが閉位置にある場合、ジッパーは閉じている。ジッパーは、スライダが開位置に向かって移動するにつれ開いていく。袋には、スライダがジッパーの端部を通り過ぎないように、ジッパーの反対側端部に終端部を随意に有している。プラスチック袋に不当干渉の証拠を提供するため、袋にはタンパエビデント構造が設けられている。
【０００５】
ある実施例では、タンパエビデント構造は、最初はスライダを閉位置に保持しており、タンパエビデント構造が除去又は破断されると、スライダが閉位置から開位置へ移動できるようになっている。タンパエビデント構造には多様な形態があり、例えば、閉位置にあるスライダを覆っているか又はスライダに隣接していて、その部材を適所に保持するために袋に接着されているか、ホッチキスで留められているか、摩擦で嵌合されているか、又は何か他の方法で連結されている、取り外し可能な厚紙、紙、又はプラスチック部材や、スライダ内の穴か、又は閉位置にあるスライダに隣接するジッパー内の穴を通って伸張する取り外し可能な柔軟部材や、スライダの肩部が最初は段付き部材に係合されており、段付き部材が取り外されると係合解除されるように、スライダの閉位置近くで袋本体パネルの一つに取り外し可能に取り付けられている取り外し可能な段付き保持部材や、終端部に連結され、閉位置でスライダと解放可能に係合されているラッチや、スライダに連結され、スライダが閉位置にあるときに終端部に解放可能に係合されているラッチや、閉位置のスライダ内のスロットを通って伸張しジッパーに食い込んでいる取り外し可能なＵ字型の部材等が挙げられる。
【０００６】
上記タンパエビデント構造は、最初はスライダを閉位置に保持する。従って、掴むことのできる上部フランジがなければ、スライダを使わずにジッパーを手で掴んで開くのは難しいので、タンパエビデント構造を除去又は破断する前に袋の内部にアクセスするのは難しい。タンパエビデント構造を除去又は破断すれば、スライダを使ってジッパーを開き、袋の中身にアクセスすることができる。
【０００７】
別の実施例では、タンパエビデント構造は、最初はプラスチック袋の口部を折り重ね状態に保持し、タンパエビデント構造を除去又は破断すると口部を開くことができるようになっている。タンパエビデント構造はスライダ付き袋及びスライダ無し袋の両方に採用可能で、多様な形態をとることができ、例えば折り重ねられた口部の両端を袋の両端に取り外し可能にシールするスポットシールや、折り重ねられた口部の内側パネルを隣接する袋パネルに取り外し可能にシールするスポットシールや、折り重ねられた口部と袋の隣接する折り畳まれていない部分とを通過する取り外し可能な柔軟部材や、折り重ねられた口部を袋の隣接する折り畳まれていない部分に接着する一つ又はそれ以上のステッカー（粘着性細片）や、上記の組み合わせ等を挙げることができる。柔軟部材又はステッカーが採用され、プラスチック袋がジッパーを操作するためのスライダを有している場合、柔軟部材又はステッカーは、柔軟部材又はステッカーが袋から外されるまで、口部を折り重ねられた位置に保持する機能と、スライダが閉位置から移動しないようにする機能との二つの機能を果たすため戦略的に配置される。
【０００８】
本発明のタンパエビデント構造は、いじくられるのを防止する包装である必要はないが、いじくりにくい包装にしておくのが望ましいような非食料品やある種の食料品に対しては特に有用な程度に、袋の中身がいじくられるのを効果的に阻止する。
【０００９】
（好適実施例の詳細な説明）
本発明のこの他の目的及び利点は、以下の詳細な説明を読み、図面を参照すれば明らかになるであろう。
【００１０】
本発明には多様な修正及び変更を加えうるものであるが、説明のため、特定の実施例について図示し、詳細に説明を加える。しかし、本発明をここに開示する特定の形態に限定する意図はなく、むしろ、請求の範囲に定義する本発明の精神と範囲内にある、全ての代替、変更及びこれと等価なものは、本発明に含まれるものと理解されたい。
【００１１】
図１は、一対の側辺１６、１８及びこの一対の側辺１６、１８を互いに繋ぐ底部２０により互いにしっかりと接合されている、第一本体パネル１２及びこれと向かい合う第二本体パネル１４を備えた再閉可能なスライダ付きプラスチック袋１０を示す。袋には、プラスチック袋の閉じた底部２０の反対側に形成されている口部に沿って伸張する再閉可能なジッパー２２が設られている。
【００１２】
図３に示すように、ジッパー２２は、雄型軌道と雌型軌道を有している。雄型軌道は、雄型形状部２４と雄型形状部２４から下向きに伸張する第一垂下フィン即ちフランジ２６とを含んでいる。同様に、雌型軌道は、雌型形状部２８と雌型形状部２８から下向きに伸張する第二垂下フィン即ちフランジ３０とを含んでいる。第一及び第二フィン２６、３０は、第一及び第二本体パネル１２、１４それぞれの内側表面に熱溶着される。代わりに、ジッパー２２は、第一フィン２６が第一本体パネル１２と一体に成形され、第二フィン３０が第二本体パネル１４と一体に成形されるように、本体パネル１２及び１４と共に押し出し成形することもできる。袋の内容物を気密密封状態とするために、第一及び第二フィン２６、３０は、最下端で切り取り線に沿って互いに接合され、単一のタンパエビデント連続フィンを効果的に作成する。フィンが互いに接合されていれば、袋の中身にアクセスするためには、フィンを切り取り線に沿って互いに切り離さなければならない。接合されているフィンに関する更に詳しい情報は「タンパエビデント構造を備えた再閉可能なファスナーストリップ」と題する１９９７年１０月１５日出願の米国特許出願番号第０８／９５０，５３５号に述べられており、その全体を参考文献としてここに援用する。
【００１３】
プラスチック袋を開け易くするため、スライダ３２が、閉位置と開位置の間を移動できるようにジッパー２２に滑動可能に装着されている。図１に示すようにスライダ３２が閉位置にあるとき、雄型形状部２４と雌型形状部２８とは互いに連結されている。スライダ３２を図１の閉位置から開位置（図２）に向かって動かすと、雄型形状部２４と雌型形状部２８とは互いに切り離され、ユーザーがプラスチック袋の内部へアクセスできるようになる。ジッパー２２には、スライダ３２がジッパー２２に沿って容易に組み付け、移動できるように、形状部２４及び２８から上向きに伸張する掴むことのできる上部引っ張りフランジは無い方が望ましい。そのような上部引っ張りフランジがなければ、ユーザーが、スライダ３２を使わずにジッパー２２を開け閉めするのを阻止できる。
【００１４】
ジッパー２２の向かい合う両端には、終端クランプ３４が設けられている。各終端クランプ３４は、ジッパー２２の上部を覆うストラップ部材を含んでいる。ストラップをジッパー２２に装着するため、ストラップの一端には、袋材を貫通しストラップの他端の共同開口に至るリベット状の部材が設けられている。終端クランプ３４は、スライダ３２がジッパー２２の端部を通過してしまわないようにするためのジッパー２２の端部用ストッパとしての機能と、プラスチック袋の通常の使用の間に形状部に掛けられる力に抗するために雄型形状部２４と雌型形状部２８を一緒に保持するという機能の二つの機能を果たす。スライダ３２及び終端クランプ３４の構造と作動とに関する更に詳細なことは、ヘリントン・ジュニア他に付与された、米国特許番号第５，０６７，２０８号に記載されており、その全体を参考文献としてここに援用する。終端クランプ３４は単に説明のために図示しているもので、当該技術分野では既知の他の形態でもよく、例えば、米国特許第５，４８２，３７５号、第５，４４８，８０７号、第５，４４２，８３７号、第５，４０５，４７８号、第５，１６１，２８６号、第５，１３１，１２１号、第５，０８８，９７１号、及び１９９６年８月１６日出願の「プラスチックジッパー用終端ポスト」と題する、米国特許出願第０８／６９８，９２３号に開示されているようなものでもよく、それらの全体を参考文献としてここに援用する。
【００１５】
プラスチック袋にいじられた証拠を残すため、袋にはタンパエビデント構造が装着される。図４ａ−ｄから図１６ａ−ｄに示す実施例では、タンパエビデント構造は、最初はスライダ３２を閉位置に保持（図１）し、タンパエビデント構造が除去又は破断されると閉位置から開位置（図２）に向けて移動できるようにする。掴むことのできる上部フランジが無ければ、スライダ３２を使用せずに手でジッパー２２を掴んで開くのは難しいので、タンパエビデント構造を除去又は破断する前に、袋の内部にアクセスするのは難しい。タンパエビデント構造は様々な形態を取ることができ、以下図４ａ−ｄから１６ａ−ｄに関連付けて論じる。
【００１６】
図４ａ−ｄでは、タンパエビデント構造は、スライダ３２がジッパー２２上で閉位置にあるときにスライダ３２の細い閉じ側端部３２ａに隣接している、部分的に取り外し可能な接着ラベル４０の形態で示されている。ラベル４０の向かい合う端部４０ａと４０ｂとは向かい合う袋本体パネル１２及び１４の外側表面に永久的に接着され、一方ラベル４０の中間部分４０ｃは目打ち線に沿って各端部４０ａ及び４０ｂに取り外し可能に連結されている。各目打ち線の一方又は両方の端部には、目打ち線に沿って破り始め易くする切り込みが設けられている。中間部分４０ｃは、袋に接着されていないか又は剥ぎ取り可能に接着されている。図４ａ及び４ｃに示すように、ラベル４０は、取り外す前には、スライダ３２の閉位置からの動きを遮るようにジッパー２２を跨いで伸張している。スライダ３２を動かし袋の内部にアクセスできるようにするために、ユーザーは、ジッパー２２を跨いで伸張しているラベル４０の一部分４０ｃを掴み、図４ｂ及び４ｄに示すように、この部分４０ｃを端部４０ａと４０ｂから切り離す。袋に残る端部４０ａ及び４０ｂは、不当干渉の証拠を提供する。別の実施例では、ラベル４０には目打ち線が設けられておらず、ハサミやナイフのような切断道具を使って取り除かれる。
【００１７】
図５ａ−ｄでは、タンパエビデント構造は、スライダ３２がジッパー２２上で閉位置にあるときに、スライダ３２とジッパー２２とを貫通する穴５２を通って伸張する従来型のプラスチック製値札ピン５０のような柔軟部材の形態で示されている。値札ピン５０には、ピン５０を適所に保つために一対のストッパ５４、５６が向かい合う端部に設けられている。値札ピン５０は、ジッパー２２に繋ぎ止められているので、図５ｂ及び５ｄに示すように値札ピン５０が袋から切り離されるまで、スライダ３２を閉位置から動かすことはできない。代わりに図６ａ―ｄに示すように、値札ピン５０は、スライダ３２がジッパー２２上で閉位置にあるときに、スライダ３２の閉じ側端部３２ａに隣接するジッパー２２に繋ぎ止められていてもよい。ジッパー２２は、形状部２４及び２８と、各形状部２４及び２８から下向きに伸張するフィン２６及び３０とを含んでいる。値札ピン５０は、形状部２４及び２８内の穴（図示せず）か又は図６に示すようにフィン２６及び３０内の穴かの何れを通って伸張していてもよい。ピン５０は、フィン及び向かい合う本体パネル（図示）両方を通って伸張していてもよいし、フィンだけを通って伸張していてもよい。ピン５０を取り外すまでは、ピン５０はスライダ３２が閉位置から動こうとするのを阻止する。
【００１８】
図７ａ−ｄでは、タンパエビデント構造は、ジッパー２２の直下、スライダ３２の閉位置において、袋本体パネル１２に取り外し可能に接着されている取り外し可能な段付き保持部材７０の形態で示されている。段付き部材７０は、図７ｂ及び７ｄに示すように段付き部材７０を引き剥がすか又は取り外すことができるような引き剥がしシール又は他の弱い粘着剤により、袋本体パネル１２に接着される。段付き部材７０は、それぞれが斜面を有する一つ又はそれ以上の段７２を形成する。各段７２の斜面は、端部ストッパ３４に近付くほど段７２の厚みが増すように傾斜している。段７２の一つと係合させるため、スライダ３２には、突起又はバンプ７４を形成するように輪郭付けられた少なくとも一つの内向きに伸張する肩部７３が設けられている。突起７４は、肩部７３に沿って何処に配置されていてもよい。輪郭付けられた肩部７３に関する更に詳細なことは「再閉可能な袋用の高強度スライダ」と題する、１９９７年４月２６日出願の米国特許出願番号第０８／９３８，０４７号に述べられており、その全体を参考文献としてここに援用する。スライダ３２が閉位置にあるとき、スライダ肩部７３の突起７４は、段７２の一つの隆起した端部７６と係合している（図７ａ）。
【００１９】
図７ａ−ｄのタンパエビデント構造を作成するためには、先ず、段付き部材７０を袋本体パネル１２に接着するのが望ましい。次に、スライダ３２を、結合技法を使って段付き部材７０と係合させる。ある技法では、スライダ３２が米国特許第５、０６７、２０８号に開示されているウイングロック型である場合、スライダ３２は、段付き部材７０のすぐ上でジッパー２２上に装着される。ウイングロックスライダ３２は、スライダ３２をジッパー２２に取り付ける前に、開位置では互いから拡げられる一対のヒンジ付きウイング７８、７９（図示せず）を有している。ウイング７８は、突起７４を有する肩部７３を形成する。スライダ３２は、最初、ウイング７８及び７９が開くか又は拡げられた状態で段付き部材の上方でジッパー２２に装着され、次に、ウイング７８及び７９が下向きに回転され、図７ａ−ｄに示す閉位置に締められる。ウイング７８及び７９が閉位置に締められると、突起７４は段７２の一つの端部７６と係合する。別の技法では、スライダ３２は、段付き部材７０から離れた位置でジッパー２２に装着される。次に、スライダ３２は、ジッパー２２に沿って閉位置まで動かされる。閉位置に近づくと、スライダ肩部７３は、突起７４が段７２の一つの端部７６と係合するまで段付き部材７０を乗り超えるように付勢される。
【００２０】
段付き部材７０を取り外してスライダ３２が閉位置から動けるようにするために、ユーザーは、図７ｂ及び７ｄに示すように、段付き部材７０のタブ７１を掴み、段付き部材７０を袋本体パネル１２から引き剥がすか又は取り外す。
【００２１】
図７ｅ−ｈに示す別の実施例では、切り離されることになる段付き部材７０’は端部ストッパ３４と一体的に成形され、端部ストッパ３４と弱い連結領域７５（図７ｅ）に沿って切り離し可能に連結されている。段付き部材７０’を取り除くためには、図７ｆに示すように、スライダ３２を閉位置から離すように力を掛け、弱い連結領域７５を破断する。次に、分離された段付き部材７０’を、スライダ３２の下から取り除く。段付き部材７０’を取り除き易くするために、図７ａ−ｄのタブ７１と同種の引きタブを設けてもよい。スライダ３２を強制的に動かして端部ストッパ３４から離すことにより段付き部材７０’を端部ストッパ３４から切り離す代わりに、段付き部材７０’に、ユーザーが掴んで引っ張る引きタブを設けて、先ず弱い連結領域７５を引き裂き、次に切り離された段付き部材７０’をスライダ３２の下から取り除くようにしてもよい。
【００２２】
図８ａ−ｄでは、タンパエビデント構造は、スライダ３２が閉位置にあるときにスライダ３２を包み込む、取り外し可能なプラスチック収縮性ラップ８０の形態で示されている。収縮性ラップ８０は、袋本体パネル１２及び１４に接着されているか又は熱溶着されている。収縮性ラップ８０は、更に端部ストッパ３４を包み込んでいてもよく、その場合、収縮性ラップ８０を適所に保持するために、本体パネルに接着する必要はなく、端部ストッパ３４に接着されていさえすればよい。代わりに、収縮性ラップはスライダ３２の直ぐ前のジッパー２２上に収縮接合していてもよい。スライダ３２を閉位置から動かせるようにするためには、図８ｂ及び８ｄに示すように、収縮性ラップ８０を破るか又は袋から引き剥がさなければならない。容易に取り外しできるように、収縮性ラップ８０には切り込みが入っているか又はミシン目が入っているのがよい。そのようなミシン目は、収縮性ラップ８０をどのように破りたいかによって、収縮性ラップ８０の上部又は側面に配置すればよい。収縮性ラップ８０の大部分が破り去られた後に、収縮性ラップ８０の一部分は、その残存部分がスライダ３２の動きの邪魔にならない限り、いじくられた証拠として袋本体パネル１２及び１４に接着されたまま残っていてもよい。
【００２３】
図９ａ−ｄでは、タンパエビデント構造は、スライダ３２が閉位置にあるときにスライダ３２を部分的に覆っている剛体又は柔軟性のあるプラスチックスリーブ９０の形態で示されている。代わりに、スリーブ９０は、スライダ３２全体を覆うように長くなってもよい。スリーブ９０は、図９ａ及び９ｃに示すように袋本体パネル１２及び１４の一つ又は両方に接着されているか又は熱溶着されているかの何れか、あるいは端部ストッパ３４に取り付けられて（図示せず）いる。スライダ３２を閉位置から離して動かせるようにするには、プラスチックスリーブ９０を破るか、又は図９ｂ及び９ｄに示すように袋から引き剥がさなければならない。
【００２４】
図１０ａ―ｄの別の実施例では、プラスチックスリーブ１００は、スライダ３２が閉位置にあるとき、スライダ３２の閉じ側端部３２ａに隣接し、ジッパー２２に跨って装着されている。スリーブ１００は袋本体パネル１２、１４に接着又は熱溶着されていてもよく、更に又は代わりに、摩擦嵌合により取り外し可能にジッパー２２に連結されていてもよい。更にスリーブ１００は図示のようにジッパー２２の長さのほんの一部分に沿って伸張していてもよいし、スライダ３２により占拠されているジッパー２２の領域を除くジッパー２２の実質的に全長に沿って伸張していてもよい。スリーブ１００とジッパー２２との間に強い摩擦嵌合状態を作り出すために、スリーブ１００は、図１０ｃに示すように、ジッパー２２の外側形状部と一致する内側形状部を有するように押し出し成形されるのが望ましい。スリーブ１００がジッパー２２に装着されると、スリーブ１００はスライダ３２が閉位置から動こうとするのを妨げる。スライダ３２が閉位置から動けるようにするためには、スリーブ１００は、ジッパー２２から外れるようにスリーブ１００全体を上方向に引くか、又はスリーブ１００が十分に柔軟な場合は、図１０ｂ及び１０ｄに示すようにスリーブ１００の片側を外して持ち上げることにより、ジッパー２２から外される。
【００２５】
図１１ａ−ｄでは、タンパエビデント構造は、スライダ３２が閉位置にあるときに、スライダ３２の閉じ側端部３２ａに隣接する位置で、ジッパー２２を跨いで包み込む厚紙、紙、プラスチック又は箔片１１０の形態で示されている。帯片１１０は、袋本体パネル１２、１４にホッチキスで留められている。スライダ３２を閉位置から動かせるようにするためには、ホッチキスを帯片１１０から取り除き、次に帯片１１０を袋から除去しなければならない。
【００２６】
図１２ａ−ｄでは、タンパエビデント構造は、スライダ３２が閉位置にあるときに、スライダ３２の閉じ側端部３２ａに隣接して配置されているプラスチックタブ１２０の形態で示されている。プラスチックタブ１２０は、袋本体パネル１２及び１４と一体的に形成され、切り取り線１２２（図１２ａ）に沿って分離可能な一対のタブパネル１２０ａ及び１２０ｂ（図１２ｃ）を含んでいる。切り取り線は、目打ち、刻み、薄い領域などであってもよい。タブパネル１２０ａ及び１２０ｂは、ジッパー２２の上方上向に伸張し、ジッパー２２の上方で互いに接着又は熱溶着されている。スライダ３２を閉位置から動かせるようにするためには、タブパネル１２０ａ及び１２０ｂを掴み、図１２ｂ及び１２ｄに示すように切り取り線１２２に沿って袋本体パネル１２及び１４からちぎれるまで、概ね上方向に引っ張らなければならない。
【００２７】
図１３ａ−ｄでは、タンパエビデント構造は、スライダ３２が閉位置にあるときに、端部ストッパ３４から伸張し、スライダ３２に取り外し可能に係合されているラッチ１３０の形態で示されている。図示されているラッチ１３０は、ラッチ１３０を図１３ａに示されている位置に向けて付勢する、瞬時破断可能ヒンジに沿って端部ストッパ３４に連結されている。ラッチ１３０は、図示のようにスライダ３２の側面に沿って伸張していてもよいし、或いはスライダ３２の上部壁に沿って伸張していてもよい。図１３ａに示すように、ラッチ１３０は、スライダ３２の外側に沿って伸張するように成形されており、スライダ３２の閉じ側端部３２ａと係合する遠位フック１３２を形成している。代わりに、突出タブを有するようにスライダ３２を修正し、ラッチ１３０が突出タブと係合するようになっていてもよい。スライダ３２が閉位置から動けるようにするためには、ラッチ１３０を、図１３ｂ及び１３ｄに示すようにフック１３２がスライダ３２から外れるまで、スライダ３２から外向きに回転させなければならない。そうすると、ラッチ１３０が端部ストッパ３４から切り離され、取り除かれる。
【００２８】
図１４ａ−ｄでは、タンパエビデント構造は、スライダ３２が閉位置にあるときに、スライダの端部ストッパ３４から伸張し、スライダ３２と係合している矢印型ラッチ１４０の形態で示されている。ラッチ１４０は端部ストッパ３４と一体的に形成され、スライダ３２は元々、ラッチ１４０の形状と概ね形状の一致する長い空洞１４２を有するように射出成形されている。空洞の横方向寸法は、ラッチ１４０の横方向寸法より僅かに大きい。タンパエビデント構造を「作動させる」ためには、ラッチ１４０を空洞１４２内へ挿入し、ラッチ１４０の矢じりあごのようなヘッド１４４が空洞１４２内の深い位置で肩部１４６とパチンと係合するように、スライダ３２を閉位置へ移動させる。ラッチヘッド１４４は十分に柔軟なのでラッチ１４０は空洞１４２内に挿入することができ、しかも矢じりのあごのような形状は、ラッチ１４０が空洞１４２から引き出されることを実質的に妨げる。挿入されたラッチ１４０を、図１４ａ及び１４ｃに示す。スライダ３２が閉位置から動かせるようにするには、スライダ３２を掴んで、図１４ｂ及び１４ｄに示すように、ラッチ１４０を端部ストッパ３４から切り離すのに十分な力で閉位置から離れるように動かすだけでよい。ラッチ１４０は、スライダ３２の空洞１４２内に捕捉されたまま留まる。
【００２９】
図１５ａ−ｄに示すように、矢印型のラッチ１５０をスライダ３２から伸張させ端部ストッパ３４に係合させてもよい。ラッチ１５０は、端部ストッパ３４内の空洞１５２に挿入され、空洞１５２内の肩部１５４にパチンと係合される。スライダ３２を閉位置から押し出すと、図１４ｂ及び１４ｄに示すように、ラッチ１５０はスライダ３２から切り離され、空洞１５２内に捕捉されたまま留まる。
【００３０】
図１６ａ−ｄでは、タンパエビデント構造は、スライダ３２が閉位置にあるときに、スライダ３２内のスロット１６２を通って伸張し、ジッパー２２に食い込んでいるＵ字型の剛体又は半剛体の保持部材１６０（図１６ｃ）の形態で示されている。Ｕ字型部材１６０は、金属製でもプラスチック製でもよい。スライダ３２は、横断部材１６３と、横断部材１６３の長手方向の対辺から下向きに伸張する一対の側面壁１６４、１６５とを有している。横断部材１６３は、ジッパー２２の上側部分に乗っている。側面壁１６４は、脚１６６とヒンジ付けされたウイング１６７とを有している。スライダ３２がジッパー２２に取り付けられた後、ウイング１６７は脚１６６を取り囲み、これと噛み合う。側面壁１６５は、側面壁１６４の脚１６６及びウイング１６７に似た脚及びヒンジ付けされたウイングを有している。スロット１６２は、ウイング１６７を脚１６６から隔てている小さなギャップにより形成される。スライダ３２の構造に関する更に詳細な説明は「再閉可能な袋のための高強度スライダ」と題する、１９９７年４月２６日出願の米国特許出願番号第０８／９３８、０４７号に述べてあり、その全体を参考文献としてここに援用する。
【００３１】
図１６ａ−ｄのタンパエビデント構造の利点は、上記のように構成されているスライダ３２を用いるスライダ付き袋が、既にＵ字型部材１６０を受け入れるのに適合しているということである。特別な特徴をスライダ３２に追加する必要はない。従って、そのようなスライダ付き袋は、袋に不当干渉の度合いを提供するため、Ｕ字型部材１６０付きに改装することができる。スライダを閉位置から動かせるようにするには、Ｕ字型部材１６０をジッパー２２から外し、スライダ３２から取り除かなければならない。Ｕ字型部材を取り外し易くするためには、スクリュードライバのようなてこ道具をスライダ脚１６６とＵ字型部材１６０との間に挿入するとよい。代替実施例では、Ｕ字型部材１６０は、スライダ３２内の単一のスロット又は穴を通り、ジッパー２２まで食い込む剛体部材と置き替えられている。この剛体部材には、スライダ３２から取り外し易くするため、手又は道具を使って操作可能なある種の握り手を設けるのが望ましい。
【００３２】
図１７ａ−ｃから図２０ａ−ｂに示されている別の組の実施例では、タンパエビデント構造は、最初はプラスチック袋の口部を折り畳まれた状態に維持しておき、タンパエビデント構造が除去又は破断されると口部を広げることができるようになっている。このタンパエビデント構造は、スライダ付き袋にもスライダなしの袋にも取り付け可能である。
【００３３】
図１７ａ−ｃでは、袋の口部１７０を折り畳み、折り重ねられた口部１７０を袋の両辺１６及び１８に側辺スポットシール１７２及び１７４で取り外し可能にシールすることにより作成されるタンパエビデント構造が示されている。図１７ａ及び１７ｂに示すように、袋を折り畳んだ状態にすれば、例えスライダ３２を閉位置から開位置へ動かしたとしても、袋へ進入した後、折り返し部１７６を通り抜けるのは難しいので、袋内部へのアクセスは限定される。折り重ねられた口部１７０は、不当干渉の証拠を提供するだけでなく、特に折り重ねられた口部１７０を固定するためのシールが両辺１６及び１８に沿って配置されている場合には、袋を持つのに便利な握り手を提供する。袋の中身にアクセスするためには、図１７ｃに示すように、サイドシール１７２及び１７４を破断し、口部１７０を広げることができるようにしなければならない。
【００３４】
図１８、１９ａ−ｂ、２０ａ−ｂに示すように、折り重ねられた口部１７０は別の手段で折り重ね位置に固定してもよい。例えば図１８では、折り重ねられた口部１７０は、辺１８に沿うスポットシール１７４と、ジッパー２２及びこれと隣接する側辺１６近くの折り重ねられていない袋部分を突き向ける値札ピン１８０のような柔軟部材とを組み合わせることにより、折り重ね状態に保持される。値札ピン１８０は、ピン１８０が袋から取り外されるまで、口部１７０を折り重ねられた状態に維持し、スライダ３２が閉位置から動かないようにするという二つの機能を果たす。図１８の実施例は、スポットシール１７４を無くし、側辺１６と１８とのほぼ中間に単一の値札ピンを設けるか、又は側辺１６と１８近くそれぞれに一対の値札ピンを設けるように変更してもよい。ピンが袋から取り外されるまで、スライダ３２が閉位置から動かせないようにするため、側辺１６近くの値札ピンは何れも、ジッパー２２に沿ってスライダ３２に隣接するか又はスライダ３２を通して配置されているのが望ましい。
【００３５】
図１９ａ−ｂでは、折り重ねられた口部１７０は、袋パネル１２を袋パネル自体に取り外し可能にシールする一つ又はそれ以上のスポットシール１９０及び１９２により折り重ねられた状態に固定されている。例えばスポットシールは、剥ぎ取り可能なシール、又は「ダーティ」シールであってもよい。口部１７０の袋パネル１２の部分は、隣接する袋パネル１２の折り重ねられていない部分と接着されている。必要であれば、袋を持つための握り手を作るためにスポットシール１９０及び１９の配置を工夫することもできる。
【００３６】
図２０ａ−ｂでは、折り重ねられた口部１７０は、口部１７０を隣接する袋パネル１２の折り重ねられていない部分に取り付ける、一つ又はそれ以上の部分的に取り外し可能なステッカー（接着帯片）又は感圧ラベル２００により折り重ねられた状態に固定されている。ステッカー２００の一つは、ステッカーが袋から取り外されるまでスライダ３２が閉位置から動けないようにするため、ジッパー２２に沿ったスライダ３２に隣接するか又はスライダ３２上に配置される。各ステッカー２００の中間部分を破ると、口部１７０の折り重ねを解くことができるが、各ステッカー２００の端部分は、袋に接着されたまま残り、不当干渉の証拠となる。
【００３７】
上に述べた各タンパエビデント構造は、タンパエビデント構造を除去又は破断する前に袋の内部へアクセスするのを困難にしている。掴むことのできる上部フランジが無いと、スライダ３２を用いないで、手でジッパー２２を掴んで開くのは難しい。従って、スライダ３２が閉位置から動けないようにするこれらのタンパエビデント構造に関して言えば、そのようなタンパエビデント構造は、いじくられるのを防止する包装である必要はないが、いじくりにくい包装にしておくのが望ましいような非食料品やある種の食料品に対しては特に有用な程度に、袋の中身がいじくられるのを効果的に阻止する。例えば、図４ａ−ｄ、図８ａ−ｄ、図９ａ−ｄ、図１０ａ−ｄ、図１１ａ−ｄ、図１２ａ−ｄのタンパエビデント構造は、閉位置にあるスライダを覆っているか又はそれに隣接している取り外し可能な厚紙か、紙か、プラスチックか又は箔部材を用い、その部材を適所に保持するために袋に接着されているか、貼り付けられているか、摩擦嵌合されているか又は何らかの別方法で袋に連結されていることにより不当干渉への抵抗が実現されている点で有益である。部材がプラスチックで構成されている場合、該プラスチックは、ポリエチレンベースのポリマー、ポリスチレン、ナイロン、ポリカーボネート又は同種の別の材料から成るポリマー又はコポリマー等である。ポリエチレンベースのポリマーには、低密度ポリエチレン、線状低密度ポリエチレン、メタロセン、エチレンビニルアセテート又は同種の別の材料が含まれる。図８ａ−ｄの収縮性ラップ８０は普通の低密度ポリエチレンで作るのが望ましい。図１２ａ−ｄのプラスチックタブ１２０は、取り外し可能なタブパネル１２０ａ及び１２０ｂが各袋本体パネル１２及び１４と一体的に形成されるので、袋本体パネル１２及び１４と同じ材料で形成される。
【００３８】
更に、図５ａ−ｄ、６ａ−ｄのタンパエビデント構造では、不当干渉への抵抗が、スライダ３２が閉位置から動くのを防ぐために、少なくともジッパー２２に（図５ａ−ｄ、６ａ−ｄ）そして随意的にスライダ３２に（図５ａ−ｄ）同様に取り付けられている通常の値札ピンを用いて実現されている点で有用である。図１３ａ−ｄ、１４ａ−ｄ、１５ａ−ｄのタンパエビデント構造は、不当干渉への抵抗が、スライダ３２を端部ストッパ３４に取り外し可能に連結している取り外し可能（図１３ａ−ｄ）又は破断可能（図１４ａ−ｄ、１５ａ−ｄ）なラッチを用いて実現されている点で有用である。図７ａ−ｈの段付き部材は、スライダ付き袋の中身に不当干渉することへの抵抗を提供するという意味では同じように効果的である。
【００３９】
図４ａ−ｄから図１６ａ−ｄのタンパエビデント構造とは異なり、図１７ａ−ｃ、１８、１９ａ−ｂ、２０ａ−ｂのタンパエビデント構造は、スライダ３２の閉位置からの移動の防止に依存してはいない。むしろ、図１７ａ−ｃ、１８、１９ａ−ｂ、２０ａ−ｂのタンパエビデント構造は、袋の口を折り畳んだ状態に保持することに依存しており、スライダ３２とジッパー２２とが無くても有効である。従って、他のタンパエビデント構造とは異なり、図１７ａ−ｃ、１８、１９ａ−ｂ、２０ａ−ｂのタンパエビデント構造は、実質的にはどんな型の袋にも適用できる。しかし、スライダ付き袋が採用される場合、適切なタンパエビデント構造が破断又は除去されるまで袋の口を折り畳み状態に保持し、スライダの閉位置からの動きを妨げるように、図４ａ−ｄから１６ａ−ｄのタンパエビデント構造を、図１７ａ−ｃ、１８、１９ａ−ｂ、２０ａ−ｂのタンパエビデント構造と組み合わせて用いることも考えられる。複数のタンパエビデント構造を組み合わせている袋の例を、図１８及び２０ａ−ｂに示す。
【００４０】
本発明を一つ又はそれ以上の特定の実施例を参考にして説明してきたが、当業者には、本発明の精神と範囲から逸脱することなく多くの変更をこれらに加えうることが理解頂けるであろう。それらの各実施の形態及びその明らかな変形は、本発明の請求の範囲に記載の精神と範囲内にあるものと思慮される。
【図面の簡単な説明】
【図１】  ジッパーにスライダが装着されている再閉可能なスライダ付きプラスチック袋の、スライダが閉位置にあるところを示す等角図である。
【図２】  スライダが閉位置から移動してジッパーが部分的に開いている状態にあるところを示す、スライダ付き袋の口部を示す等角図である。
【図３】  図１の概ね線３−３に沿う断面図である。
【図４】  図４ａは、取り外し可能な粘着ラベルの形態をしたタンパエビデント構造を有するスライダ付き袋の部分等角図である。図４ｂは、粘着ラベルが袋から取り外されているところを示、すスライダ付き袋の拡大等角図である。図４ｃは、図４ａの概ね線４ｃ−４ｃに沿う断面図である。図４ｄは、図４ｂの概ね線４ｄ−４ｄに沿う断面図である。
【図５】  図５ａは、スライダ内の穴を通って伸張する値札ピンのような柔軟部材の形態をしたタンパエビデント構造を有するスライダ付き袋の部分等角図である。図５ｂは、柔軟部材がスライダから切り離されているところを示す、スライダ付き袋の部分等角図である。図５ｃは、図５ａの概ね線５ｃ−５ｃに沿う断面図である。図５ｄは、図５ｂの概ね線５ｄ−５ｄに沿う断面図である。
【図６】  図６ａは、閉位置にあるスライダに隣接するジッパー内の穴を通って伸張する、値札ピンのような柔軟部材の形態をしたタンパエビデント構造を有するスライダ付き袋の部分等角図である。図６ｂは、柔軟部材がジッパーから切り離されているところを示す、スライダ付き袋の部分等角図である。図６ｃは、図６ａの概ね線６ｃ−６ｃに沿う断面図である。図６ｄは、図６ｂの概ね線６ｄ−６ｄに沿う断面図である。
【図７】  図７ａは、袋本体パネルの一つに取り付けられ、閉位置にあるスライダの肩部と係合している段付き保持部材の形態をしたタンパエビデント構造を有するスライダ付き袋の部分等角図である。図７ｂは、段付き保持部材が袋本体パネルから外され、スライダとの係合が解除されているところを示す、スライダ付き袋の部分等角図である。図７ｃは、図７ａの概ね線７ｃ−７ｃに沿う断面図である。図７ｄは、図７ｂの概ね線７ｄ−７ｄに沿う断面図である。図７ｅは、スライダの端部ストッパと一体に形成され、閉位置にあるスライダの肩部と係合している段付き保持部材の形態をしたタンパエビデント構造を有するスライダ付き袋の部分等角図である。図７ｆは、段付き保持部材がスライダの端部ストッパから外され、スライダとの係合が解除されているところを示す、スライダ付き袋の部分等角図である。図７ｇは、図７ｅの概ね線７ｇ−７ｇに沿う断面図である。図７ｈは、図７ｆの概ね線７ｈ−７ｈに沿う断面図である。
【図８】  図８ａは、閉位置にあるスライダを包む収縮性ラップの形態をしたタンパエビデント構造を有するスライダ付き袋の部分等角図である。図８ｂは、収縮性ラップが袋から外されているところを示す、スライダ付き袋の部分等角図である。図８ｃは、図８ａの概ね線８ｃ−８ｃに沿う断面図である。図８ｄは、図８ｂの概ね線８ｄ−８ｄに沿う断面図である。
【図９】  図９ａは、閉位置にあるスライダの少なくとも一部分を覆うプラスチックスリーブの形態をしたタンパエビデント構造を有するスライダ付き袋の部分等角図である。図９ｂは、プラスチックスリーブが袋から外されているところを示す、スライダ付き袋の部分等角図である。図９ｃは、図９ａの概ね線９ｃ−９ｃに沿う断面図である。図９ｄは、図９ｂの概ね線９ｄ−９ｄに沿う断面図である。
【図１０】  図１０ａは、閉位置にあるスライダに隣接して配置され、押し出し成型摩擦嵌合プラスチックスリーブの形態をしたタンパエビデント構造を有するスライダ付き袋の部分等角図である。図１０ｂは、プラスチックスリーブが袋から外されているところを示す、スライダ付き袋の部分等角図である。図１０ｃは、図１０ａの概ね線１０ｃ−１０ｃに沿う断面図である。図１０ｄは、図１０ｂの概ね線１０ｄ−１０ｄに沿う断面図である。
【図１１】  図１１ａは、閉位置にあるスライダに隣接して袋に貼り付けられている厚紙、紙、プラスチック又は箔片の形態をしたタンパエビデント構造を有するスライダ付き袋の部分等角図である。図１１ｂは、貼り付けられた細片が袋から外されているところを示す、スライダ付き袋の部分等角図である。図１１ｃは、  図１１ａの概ね線１１ｃ−１１ｃに沿う断面図である。図１１ｄは、図１１ｂの概ね線１１ｄ−１１ｄに沿う断面図である。
【図１２】  図１２ａは、閉位置にあるスライダに隣接して配置されており、各袋本体パネルに切り離し可能に連結され、そこから上方向に伸張し、ジッパー上方で互いに接着されている一対のタブパネルを含んでいるプラスチックタブの形態をしたタンパエビデント構造を有するスライダ付き袋の部分等角図である。図１２ｂは、プラスチックタブが袋から取り外されているところを示す、スライダ付き袋の部分等角図である。図１２ｃは、図１２ａの概ね線１２ｃ−１２ｃに沿う断面図である。図１２ｄは、図１２ｂの概ね線１２ｄ−１２ｄに沿う断面図である。
【図１３】  図１３ａは、スライダの端部ストッパから伸張し、閉位置にあるスライダに取り外し可能に係合されているラッチの形態をしたタンパエビデント構造を有するスライダ付き袋の部分等角図である。図１３ｂは、ラッチが袋から係合解除されているところを示す、スライダ付き袋の部分等角図である。図１３ｃは、図１３ａの概ね線１３ｃ−１３ｃに沿う断面図である。図１３ｄは、図１３ｂの概ね線１３ｄ−１３ｄに沿う断面図である。
【図１４】  図１４ａは、スライダの端部ストッパから伸張し、閉位置にあるスライダと係合しているラッチの形態をしたタンパエビデント構造を有するスライダ付き袋の部分等角図である。図１４ｂは、ラッチを破断し、スライダを端部ストッパから解放しているところを示す、スライダ付き袋の部分等角図である。図１４ｃは、図１４ａの概ね線１４ｃ−１４ｃに沿う断面図である。図１４ｄは、図１４ｂの概ね線１４ｄ−１４ｄに沿う断面図である。
【図１５】  図１５ａは、閉位置にあるスライダから伸張し、スライダの端部ストッパと係合しているラッチの形態をしたタンパエビデント構造を有するスライダ付き袋の部分等角図である。図１５ｂは、ラッチを破断し、スライダを端部ストッパから解放しているところを示す、スライダ付き袋の部分等角図である。図１５ｃは、図１５ａの概ね線１５ｃ−１５ｃに沿う断面図である。図１５ｄは、図１５ｂの概ね線１５ｄ−１５ｄに沿う断面図である。
【図１６】  図１６ａは、閉位置にあるスライダ内の穴を通って伸張し、ジッパー内にまで食い込んでいるＵ字型部材の形態をしたタンパエビデント構造を有するスライダ付き袋の部分等角図である。図１６ｂは、Ｕ字型部材がジッパーと係合解除され、スライダから取り外されているところを示す、スライダ付き袋の部分等角図である。図１６ｃは、図１６ａの概ね線１６ｃ−１６ｃに沿う断面図である。図１６ｄは、図１６ｂの概ね線１６ｄ−１６ｄに沿う断面図である。
【図１７】  袋の口部を折り畳み、折り重ねられた口部を袋の両側部と取り外し可能に連結させることにより作られるタンパエビデント構造を有するスライダ付き袋の等角図である。図１７ｂは、折り重ねられた口部を袋の両側部に取り付けるサイドシールの一つを示す、スライダ付き袋の部分等角図である。図１７ｃは、サイドシールが破断され口部を広げた後の、スライダ付き袋の部分等角図である。
【図１８】  袋の口部を折り畳み、折り重ねられた口部を値札ピンとサイドシールで固定することにより作られるタンパエビデント構造を有するスライダ付き袋の等角図である。
【図１９】  図１９ａは、袋の口部を折り畳み、折り重ねられた口部の内側パネルを隣接する袋パネルに取り外し可能にシールすることにより作られるタンパエビデント構造を有するスライダ付き袋の等角図である。図１９ｂは、図１９ａの概ね線１９ｂ−１９ｂに沿う断面図である。
【図２０】  図２０ａは、袋の口部を折り畳み、折り重ねられた口部を部分的に取り外し可能なステッカーを使って固定することにより作られるタンパエビデント構造を有するスライダ付き袋の等角図である。図２０ｂは、ステッカーが部分的に取り外され、折り重ねられていた口部を広げることができるようになった後の、図２０ａのスライダ付き袋の等角図である。
【図１】
0005114761.tif 000002
【図２】
0005114761.tif 000003
【図３】
0005114761.tif 000004
【図４ａ】
0005114761.tif 000005
【図４ｂ】
0005114761.tif 000006
【図４ｃ】
0005114761.tif 000007
【図４ｄ】
0005114761.tif 000008
【図５ａ】
0005114761.tif 000009
【図５ｂ】
0005114761.tif 000010
【図５ｃ】
0005114761.tif 000011
【図５ｄ】
0005114761.tif 000012
【図６ａ】
0005114761.tif 000013
【図６ｂ】
0005114761.tif 000014
【図６ｃ】
0005114761.tif 000015
【図６ｄ】
0005114761.tif 000016
【図７ａ】
0005114761.tif 000017
【図７ｂ】
0005114761.tif 000018
【図７ｃ】
0005114761.tif 000019
【図７ｄ】
0005114761.tif 000020
【図７ｅ】
0005114761.tif 000021
【図７ｆ】
0005114761.tif 000022
【図７ｇ】
0005114761.tif 000023
【図７ｈ】
0005114761.tif 000024
【図８ａ】
0005114761.tif 000025
【図８ｂ】
0005114761.tif 000026
【図８ｃ】
0005114761.tif 000027
【図８ｄ】
0005114761.tif 000028
【図９ａ】
0005114761.tif 000029
【図９ｂ】
0005114761.tif 000030
【図９ｃ】
0005114761.tif 000031
【図９ｄ】
0005114761.tif 000032
【図１０ａ】
0005114761.tif 000033
【図１０ｂ】
0005114761.tif 000034
【図１０ｃ】
0005114761.tif 000035
【図１０ｄ】
0005114761.tif 000036
【図１１ａ】
0005114761.tif 000037
【図１１ｂ】
0005114761.tif 000038
【図１１ｃ】
0005114761.tif 000039
【図１１ｄ】
0005114761.tif 000040
【図１２ａ】
0005114761.tif 000041
【図１２ｂ】
0005114761.tif 000042
【図１２ｃ】
0005114761.tif 000043
【図１２ｄ】
0005114761.tif 000044
【図１３ａ】
0005114761.tif 000045
【図１３ｂ】
0005114761.tif 000046
【図１３ｃ】
0005114761.tif 000047
【図１３ｄ】
0005114761.tif 000048
【図１４ａ】
0005114761.tif 000049
【図１４ｂ】
0005114761.tif 000050
【図１４ｃ】
0005114761.tif 000051
【図１４ｄ】
0005114761.tif 000052
【図１５ａ】
0005114761.tif 000053
【図１５ｂ】
0005114761.tif 000054
【図１５ｃ】
0005114761.tif 000055
【図１５ｄ】
0005114761.tif 000056
【図１６ａ】
0005114761.tif 000057
【図１６ｂ】
0005114761.tif 000058
【図１６ｃ】
0005114761.tif 000059
【図１６ｄ】
0005114761.tif 000060
【図１７ａ】
0005114761.tif 000061
【図１７ｂ】
0005114761.tif 000062
【図１７ｃ】
0005114761.tif 000063
【図１８】
0005114761.tif 000064
【図１９Ａ】
0005114761.tif 000065
【図１９Ｂ】
0005114761.tif 000066
【図２０ａ】
0005114761.tif 000067
【図２０ｂ】
0005114761.tif 000068